(57)【要約】チケットの繰り返し購入を促進する方法が開示されている。本方法は、イベントに関連した複数の購入可能なチケットを用意する工程と、前記チケットの少なくとも幾つかのそれぞれにユニークな識別マークを設ける工程と、ユニークな識別マークがそれぞれに設けられた前記チケットの内の少なくとも一つをランダムに選定する工程と、ランダムに選ばれたチケットを所有するチケット購入者にイベントに関連した品物や、又はイベントの一人以上の関係者と関連した品物を提供する工程とを有している。本方法に使用するのに適したチケット（１０）も開示されており、そのチケット（１０）は、基板（１２）と、基板（１２）に配置された印刷物（２０、２２、２３、２４、２８、３０、４２、４４、５８）とを有している。印刷物は、イベント関係者の少なくとも一人に関係した特徴を有している。
2005522794.tif 000002
【特許請求の範囲】
【請求項１】
チケットの繰り返し購入を促進する方法であって、
イベントに関連した複数の購入可能なチケットを用意する工程と、
前記チケットの少なくとも幾つかのそれぞれにユニークな識別マークを設ける工程と、
ユニークな識別マークがそれぞれに設けられた前記チケットの内の少なくとも一つをランダムに選択する工程と、
ランダムに選択された前記チケットを所有するチケット購入者に前記イベントに関連した品物、又は前記イベントの一人以上の関係者に関連した品物の少なくとも一方を提供する工程とを有することを特徴とするチケットの繰り返し購入を促進する方法。
【請求項２】
前記チケットは、イベントに入場するために使用されるものであることを特徴とする請求項１に記載の方法。
【請求項３】
前記品物は、前記イベントの関係者によって着用された衣類であることを特徴とする請求項１又は２に記載の方法。
【請求項４】
前記品物は、前記イベントの関係者によって使われた物品であることを特徴とする請求項１又は２に記載の方法。
【請求項５】
前記イベントに入場するために使用されるチケットとして識別されると共に前記ランダムに選択されるチケットとしては使用されない第一のチケットを割り当てる工程と、前記イベントに入場するために使用されるチケットとして識別されると共に前記ランダムに選択されるチケットして使用される第二のチケットを割り当てる工程とを有する前記イベント用チケットを割り当てる工程を具備することを特徴とする請求項１乃至４のいずれかに記載の方法。
【請求項６】
前記第一のチケットは、
基板と、
前記基板上に配置され、イベント関係者の少なくとも一人に関係した特徴を有する印刷物とを備えてなることを特徴とする請求項５に記載の方法。
【請求項７】
前記第二のチケットの購入値段は、前記第一のチケットの購入値段よりも高いことを特徴とする請求項６又は７に記載の方法。
【請求項８】
イベント開催代行者により一部分が切り取られるべきでないチケットとして識別される第一のチケットを割り当てる工程と、イベントの代表者により一部分が切り取られるべきチケットとして識別される第二のチケットを割り当てる工程とを有するイベント用チケットを割り当てる工程を具備することを特徴とする請求項１乃至４のいずれかに記載の方法。
【請求項９】
複数の前記第一のチケットは、関連イベントの関係者の少なくとも一人を有するイベントに入場するために使用者により使用されるものであって、
前記各第一のチケットは、
基板と、
前記基板上に配置され、イベント関係者の少なくとも一人に関係した特徴を有する印刷物とを備えてなることを特徴とする請求項８に記載の方法。
【請求項１０】
前記チケットは、前記イベントの結果についての賭け事を行う人に提供される賭けのレシートであることを特徴とする請求項１に記載の方法。
【請求項１１】
関連イベントの関係者の少なくとも一人を有するイベントに入場するために使用者が使用するチケットであって、
基板と、
前記基板上に配置され、イベント関係者の少なくとも一人に関係した特徴を有してなるイベントに入場するために使用者が使用するチケット。
【請求項１２】
前記イベントは、スポーツイベントであり、前記イベント関係者の少なくとも一人は、プレイヤーの少なくとも一人であることを特徴とする請求項１１に記載のチケット。
【請求項１３】
前記イベントは、音楽又は演劇のイベントであり、前記イベント関係者の少なくとも一人は、音楽家、俳優、コメディアンの少なくとも一人であることを特徴とする請求項１１に記載のチケット。
【請求項１４】
前記印刷物は、関係者の一人に関係した特徴を有してなる請求項１１乃至１３のいずれかに記載のチケット。
【請求項１５】
前記印刷物は、複数の関係者に関係した特徴を有してなる請求項１１乃至１３のいずれかに記載のチケット。
【請求項１６】
前記印刷物は、第一の関係チームに結び付けられる第一関係者に関係した特徴と、第二の関係チームに結び付けられる第二関係者に関係した特徴とを有してなる請求項１５に記載のチケット。
【請求項１７】
前記印刷物は、１つの関係チームに関係した特徴を有してなる請求項１１乃至１３のいずれかに記載のチケット。
【請求項１８】
前記印刷物は、複数の関係チームに関係した特徴を有してなる請求項１７に記載のチケット。
【請求項１９】
前記基板は、表面と裏面を有し、前記表面と前記裏面に前記印刷物が配置されてなることを特徴とする請求項１１乃至１８のいずれかに記載のチケット。
【請求項２０】
前記チケットの前記表面は、第一のイベント関係者の少なくとも一人に関係した特徴を有する印刷物が配置され、前記チケットの前記裏面は、第二のイベント関係者の少なくとも一人に関係した印刷物が配置されたことを特徴とする請求項１９に記載のチケット。
【請求項２１】
前記第一のイベント関係者は、第一のイベント関係チームのメンバーであり、前記第二の関係者は、第二のイベント関係チームのメンバーであることを特徴とする請求項２０に記載のチケット。
【請求項２２】
前記表面に配置された印刷物は、第一の関係チームに関係した特徴を有し、前記裏面に配置された印刷物は、第二の関係チームに関係した特徴を有してなる請求項２１に記載のチケット。
【請求項２３】
前記印刷物は、前記基板上に直接印刷されたことを特徴とする請求項９乃至２０のいずれかに記載のチケット。
【請求項２４】
前記印刷物は、表面層に印刷され、該表面層は、前記基板に接合されてなることを特徴とする請求項１１乃至２２のいずれかに記載のチケット。
【請求項２５】
前記印刷物は、前記イベント関係者の少なくとも一人に関係したテキスト情報を有することを特徴とする請求項１１乃至２３のいずれかに記載のチケット。
【請求項２６】
前記テキスト情報は、前記イベント関係者の少なくとも一人に関係した名前、背番号、統計データの少なくとも１つを含むことを特徴とする請求項２５に記載のチケット。
【請求項２７】
前記印刷物は、前記イベント関係者の少なくとも一人に関係したグラフィック情報を含むことを特徴とする請求項１１乃至２６のいずれかに記載のチケット。
【請求項２８】
前記印刷物は、前記イベント関係者の少なくとも一人の写真を含むことを特徴とする請求項２７に記載のチケット。
【請求項２９】
関係者のサインを受ける白紙領域を有することを特徴とする請求項１１乃至２８のいずれかに記載のチケット。
【請求項３０】
記念目的として潜在的価値がある印刷物が一つ以上の第一の基板部分に配置されると共に、潜在的記念価値は無いがイベント主催者に使用される印刷物が一つ以上の第二の基板部分に配置されてなる互いに分離可能な複数の基板部分を有してなる請求項１１乃至２９のいずれかに記載のチケット。
【請求項３１】
関連イベント参加者の少なくとも一人を有するイベントに入場するために使用者が使用するチケットを作る方法であって、
基板を用意する工程と、
イベント関係者の少なくとも一人に関係した特徴を有した印刷物を基板上に配する工程とを有することを特徴とするイベントに入場するために使用者が使用するチケットを作る方法。
【請求項３２】
繰り返しチケット購入を促進する方法であって、
輸送手段を利用するために使用される複数のチケットを用意する工程と、
前記チケットの少なくとも幾つかのそれぞれにユニークな識別マークを設ける工程と、
ユニークな識別マークがそれぞれに設けられた前記チケットの内の少なくとも一つをランダムに選択する工程と、
ランダムに選択された前記チケットを所有するチケット購入者に品物を提供する工程とを有することを特徴とするチケットの繰り返し購入を促進する方法。
【請求項３３】
前記品物は、輸送提供者によって後援された組織によって提供されることを特徴とする請求項３２に記載の方法。
【請求項３４】
前記品物は、スポーツイベント、音楽イベント、演劇イベントの少なくとも１つに関連していることを特徴とする請求項３２又は３３に記載の方法。
【発明の詳細な説明】
【技術分野】
【０００１】
本発明は、チケットの繰り返し購入を促進する方法と、そのような方法によって使用されるチケットに関する。
【背景技術】
【０００２】
この明細書の趣旨において、用語『チケット』は、文書の購入者によるイベントへの入場や活動や、又は輸送手段の利用を促進する働きをする全ての文書と、イベントの結果について賭けを行う結果として受け取られる全ての文書を意味するものと理解されることが分かる。
【０００３】
スポーツイベントや音楽イベントなどのイベントへ観客を入場させる入場チケットが広く使用されている。
【０００４】
そのようなチケットの購入者は、一般にはチケット自動販売機から、又は人か電話によって予約オフィスからチケットを得る。最近では、イベント用入場チケットをインターネットを介して購入することもできる。
【０００５】
しかし、そのような従来のチケットは特定のイベントへの入場を行うためだけに使用可能であって、またイベントへの参加の結果として購入者が得られるあらゆる楽しみ以外には、チケットの購入者に以後のイベントのチケットを更に購入したいと思わせる以後のインセンティブを何ら与えてくれないために、そのようなチケットは、チケット提供者にとっては極めて僅かな売買価値しかない。
【０００６】
同様な状況が賭け事でも起きている。イベントの結果について賭けを行う投機家は、選んだ結果が起きれば金銭の利得を得る機会を有してはいるが、金銭の利得を受けること自体は、最初のイベントに関係した特定の後続のイベントについて投機家に賭けをしたいと思わせる以後のインセンティブを何ら与えてくれないと言う。
【０００７】
更に、飛行機や列車やバスなどの輸送手段を利用するのに使用されるチケットの購入者の場合に、それによって受けられるあらゆる楽しみをエンジョイしたり、標準的なサービスの価値以外にチケット購入者に特定の輸送提供者から今後の旅行のために更にチケットを購入したいと思わせるインセンティブが殆ど無い。
【０００８】
従来のチケットは、一般に、イベント識別情報や日付や時間やイベント場所などの関連イベントの詳細が印刷される矩形状紙や厚紙の様式を取っている。
【０００９】
記念目的のために、特定のイベントに関連した物品が観客や収集家や他の熱心なファンによって収集され大切にされるが、そのような記念品が時と共に高まる重要な貨幣価値を持つことは希なことではない。
【００１０】
今までのところ、イベント入場チケットはただ視覚的なアッピールが限定的であって、それ自体収集家のための土産として特に欲しいものではなかったので、イベント入場チケットの収集にほんのささやかな興味が注がれるだけであった。
【００１１】
更に、従来のチケットは簡単なために、許可無しにチケットを複製するのは比較的簡単であったし、また疑いを持たない購入者に売るために提供される多くの偽造チケットが作られることも希ではない。
【発明の開示】
【課題を解決するための手段】
【００１２】
本発明の第一形態によれば、チケットの繰り返し購入を促進する方法であって、イベントに関連した複数の購入可能なチケットを用意する工程と、前記チケットの少なくとも幾つかのそれぞれにユニークな識別マークを設ける工程と、ユニークな識別マークがそれぞれに設けられた前記チケットの内の少なくとも一つをランダムに選定する工程と、ランダムに選択された前記チケットを所有するチケット購入者に前記イベントに関連した品物、又は前記イベントの一人以上の関係者に関連した品物の少なくとも一方を提供する工程とを有することを特徴とする方法が提供されている。
【００１３】
このように、イベント参加者には、時間の経過と共に価値が高まる潜在的な記念価値の有る品物を受け取る機会が与えられ、その品物を受け取る機会は、チケットの購入者が将来のイベントに関連したチケットを引き続き購入するように促進する働きをする。
【００１４】
一実施例では、チケットは、イベントへのアクセスを得るために使用できる。
【００１５】
代替実施例では、チケットは、イベントの結果について賭けを行う人に提供される賭けのレシートとすることができる。
【００１６】
イベントは、バスケットボールゲームやクリケット試合などのスポーツイベントとすることができる。代わりとして、イベントは、音楽イベントや演劇イベント、映画、競馬イベント、サーカス演技、又は関係者が活動して人々がその活動を見たり、聞いたりしたがっている全ての他のイベントとすることができる。
【００１７】
スポーツイベントに対する関係者は、バスケットプレイヤー、ゴルファー、サッカープレイヤーなどとすることができる。音楽イベントや演劇イベントに対する関係者は、音楽家、俳優又はコメディアンとすることができる。更に代わりの関係者は、サーカスショーなどのイベントに参加している動物と考えることができる。
【００１８】
一実施例では、品物は、イベントの関係者によって着用された衣類である。
【００１９】
代替実施例では、品物は、イベントの関係者によって使われた物品である。
【００２０】
イベント用チケットを割り当てる工程は、イベントへのアクセスを得るために使用可能なチケットとして識別できるが、ランダムに選択するのには利用できない第一のチケットを割り当てる工程と、イベントへのアクセスを得るために使用可能なチケットとして識別でき、またランダムに選択するのに利用可能な第二のチケットを割り当てる工程とを有している。
【００２１】
好ましくは、第二のチケットは、基板と、その基板上に設けられて、少なくとも一人のイベント関係者に関係した特徴を有した印刷物とを有している。
【００２２】
第二のチケットの購入値段は、第一のチケットの購入値段よりも高くできる。
【００２３】
一構成では、イベント用チケットを割り当てる工程は、チケットの一部分がイベントの代表者によって切り取られるようになっていないチケットとして識別可能な第一のチケットを割り当てる工程と、チケットの一部分がイベントの代表者によって切り取られるようになっているチケットとして識別可能な第二のチケットを割り当てる工程とを有している。第一のチケットは、少なくとも一人の関連イベントの関係者を有したイベントへのアクセスを得るために使用者が使用するものであって、各第一のチケットは、基板と、その基板上に設けられて、少なくとも一人のイベント関係者に関係した特徴を有した印刷物とを有することができる。
【００２４】
特有の識別マークは、チケット番号とすることができる。
【００２５】
本発明の第二形態によれば、関連イベントの関係者の少なくとも一人を有するイベントに入場するために使用者が使用するチケットであって、基板と、前記基板上に配置され、イベント関係者の少なくとも一人に関係した特徴を有してなるチケットが提供されている。
【００２６】
イベントは、バスケットボールゲームやクリケット試合などのスポーツイベントとすることができる。代わりとして、イベントは、音楽イベントや演劇イベント、映画、競馬イベント、サーカス演技、又は関係者が活動して人々がその活動を見たり、聞いたりしたがっている全ての他のイベントとすることができる。
【００２７】
スポーツイベントに対する関係者は、バスケットプレイヤー、ゴルファー、サッカープレイヤーなどとすることができる。音楽イベントや演劇イベントに対する関係者は、音楽家、俳優又はコメディアンとすることができる。更に代わりの関係者は、サーカスショーなどのイベントに参加している動物と考えることができる。
【００２８】
一構成では、印刷物は、一人の関係者に関係した特徴を有している。
【００２９】
別の構成では、印刷物は、複数の関係者に関係した特徴を有している。
【００３０】
別の構成では、印刷物は、第一の関係者チームと関連した第一関係者に関係した特徴と、第二の関係者チームに関連した第二関係者に関係した特徴とを有している。
【００３１】
更に別の構成では、印刷物は、一つの関係者チームに関係した特徴を有している。
【００３２】
更に別の構成では、印刷物は、複数の関係者チームに関係した特徴を有している。
【００３３】
関係者チームは、例えばバスケットチームを構成する関係者集団とすることができるが、代わりとして例えばサーカスイベントで演技する動物チームとしたり、又は競争イベントに参加する競争馬の集まりとすることができる。
【００３４】
基板は、都合上、紙、板紙、プラスチック、又は金属材から形成される。特にチケットがイベント後に記念目的の土産として保持されることになれば、チケット形状が維持されるようにするために硬質又は半硬質の基板材が好ましい。
【００３５】
好ましくは、基板は購入者の手に都合良く保持される形となっている。基板は、ほぼ平坦な矩形状で、手で持つのに都合の良い形状と寸法とすることができる。例えば、約１４．５ｃｍｘ６．５ｃｍの寸法を有した平坦な基板が都合の良い形状と寸法であると考えられる。
【００３６】
基板は、好ましくは表面と裏面を有している。印刷物は、表面と裏面の一方又は両方上に設けられる。
【００３７】
一構成では、チケットの表面には、少なくとも一人の第一イベント関係者に関係した特徴を有している印刷物が設けられ、またチケットの裏面には、少なくとも一人の第二イベント関係者に関係した特徴を有することができる。第一イベントの関係者は、第一イベント関係者チームのメンバーとし、また第二関係者は、第二イベント関係者チームのメンバーとすることできる。代わりに、チケットの表面に設けられた印刷物は、関係者の第一チームに関係した特徴を有し、またチケットの裏面に設けられた印刷物は、関係者の第二チームに関係した特徴を有することができる。
【００３８】
印刷物は、色々な形を取ることができ、また基板面上に直接印刷されたり、又は表面層上に印刷され、その表面層は、いずれかの適当な方法で基板面上に接着される。
【００３９】
印刷物は、関係者の名前、人数、統計データ及びグラフィック表示などの文字及び／又は図形情報を有することができると考えられる。
【００４０】
好適な実施例では、印刷物は、一人の関係者が、数人の関係者が、又は関係者のチーム全体がチケットに表示されるのかに応じて一人の関係者の写真、数人の関係者の写真、又は関係者のチームの写真を有することができる。
【００４１】
印刷物は、更に特定の関係者や、関係者チームに関連したコーチ及び／又はマネージャの写真及び／又は詳細などの他の情報を有することができる。更に、印刷物は、チームスポンサーを識別するチームトレードマーク、チームカラー及び／又は情報も有することができる。
【００４２】
印刷物は、例えばホームでの試合やアウエイでの試合を表象化するために、美的目的か又は表象理由のいずれかに対して色やシンボルやパターンの変更もできることを想定している。
【００４３】
印刷物がホログラフ部を有したり、少なくとも部分的に浮き出し加工が施されることも本発明の技術範囲に入いる。
【００４４】
好ましくは、チケットには、偽造の可能性を減らすように『透かし』や他の特徴付けマークが設けられる。
【００４５】
イベントの日付、時間及び場所を表す情報、入場料金、関連座席番号、チケット発行管理主催者のトレードマークなどのイベント関係者に関係しない他の印刷物もチケットに含まれる。
【００４６】
好ましくは、関係者のサインを受ける白紙領域がチケットに設けられている。
【００４７】
本発明に係るチケットは、例えばコンピュータシステムによってチケットの識別を容易にするように配置された識別マークを有することができる。
【００４８】
一構成では、チケットは複数の基板部分を有している。チケットは、基板部分の少なくとも幾つかが分離可能なように構成される。基板部分の分離を容易にするために、チケットにはミシン目が設けられている。好ましくは、ミシン目は、記念目的に潜在価値を有している印刷物が一つ以上の第一基板部分に配置されると共に潜在的記念価値は無いがイベント主催者に使用する印刷物が一つ以上の第二の基板部分に設けられるように配置されており、第一と第二の基板部分は、イベントへの入場に際してミシン目に沿って引き裂くことで分離可能である。
【００４９】
本発明の第三形態によれば、関連イベント参加者の少なくとも一人を有するイベントに入場するために使用者が使用するチケットを作る方法であって、基板を用意する工程と、イベント関係者の少なくとも一人に関係した特徴を有した印刷物を基板上に配置する工程とを有することを特徴とする方法が提供されている。
【００５０】
本発明の第四形態によれば、繰り返しチケット購入を促進する方法であって、輸送手段を利用するために使用される複数のチケットを用意する工程と、前記チケットの少なくとも幾つかのそれぞれにユニークな識別マークを設ける工程と、ユニークな識別マークがそれぞれに設けられた前記チケットの内の少なくとも一つをランダムに選択する工程と、ランダムに選択された前記チケットを所有するチケット購入者に品物を提供する工程とを有することを特徴とする方法が提供されている。
【００５１】
一構成では、品物は、輸送提供者によって後援された組織によって提供される。品物は、スポーツイベント、音楽イベント又は演劇イベントに関連させることができる。
【発明を実施するための最良の形態】
【００５２】
今度は本発明を添付図面を参照してただ例示的に説明する。
【００５３】
図面の図１から図９を参照すると、本発明の一実施形態に係るチケット１０が示されている。チケット１０は、この例では平坦な矩形状を有した基板１２を有している。基板１２上には色々な様式の印刷物が配置されている。
【００５４】
幾つかの実施例では、チケット１０は、更にチケット１０の隣接した基板部分の容易な分離を容易にするミシン目１４も有している。
【００５５】
図１から図３に示されている実施形態で分かるように、色々な様式の印刷物は、チケット１０の表面１６に配列されている。
【００５６】
この具体的な実施形態では、３行のそれぞれに４枚の写真に配列された１２枚の写真２０は、チケット１０の表面１６に印刷されている。１２枚の写真は、所定のイベント、この例ではバスケットボールのチームに関連し、バスケットボールチームのヘッドコーチとアシスタントコーチの写真と共に１０人のプレイヤーのチームを示している。例えば、バスケットボールのプレイヤーのアンドリュー・ヴラーホフの頭と肩を示した写真が２２で示されている。この例では、そのプレイヤーの名前２３と背番号２４もチケット１０に載せられている。
【００５７】
チケット１０に全てのチームプレイヤーとチームコーチの写真２０を載せることで、特定のイベントにおける出席者は、特定のイベントやイベントの特定シーズンに対するチームプレイヤーとコーチの経歴記録を得ることができることが分かる。
【００５８】
このようにチケット１０に印刷物を載せることで、チームに関連した各イベントに対し、種々のチケットを参加者に用意できることも分かる。例えば、各イベントに対して変更になるチームプレイヤーの身元と共にその一人のチームプレイヤーの写真を有したチケットが作られる。このようにして、参加者は、或るシーズンにおける各イベントに参加することで全てのチームプレイヤーを表した写真を載せたチケットを収集できる。しかし、或るシーズン中に特定のチームに関連した全てのイベントに対して同じチケットを用意すると言う他の構成も可能である。
【００５９】
図１から図３で分かるように、写真２０の背後に見える縞模様の背景２６とチームトレードマーク２８とを有した追加印刷物もチケット１０に載せられている。
【００６０】
更に、チケット偽造のおそれを低減する働きをする例えば『透かし』の追加印刷物も加えられる。図３で最も良く分かるように、この実施例では、『透かし』３０が写真２０の背後に見られ、この例での『透かし』３０はチーム名の『ワイルドキャット』となっている。
【００６１】
図１から図３で注目されるように、白紙領域３２がイベントの関係者のサインを受けるために用意されている。
【００６２】
図２において、第一及び第二のミシン目１４ａ、１４ｂが、第一及び第二の切り取り部分３４、３６を各々限定しており、各切り取り部分３４、３６は、イベントや座席の詳細３７などの追加印刷物を有している。チケット１０は、第一切り取り部分３４をチケット１０の残りの部分から分離するように第一ミシン目１４ａに沿って切り取られることを想定している。第一切り取り部分３４は、観客がチームとコーチの写真２０を有したチケット１０の残りの部分を保持するように、イベントへの入場の際に切り取られる。このように、チケット１０の残りの部分は、イベントのチームプレイヤーの記録としての働きをし、潜在的な記念価値のある品物としての働きをする。
【００６３】
本発明に係るチケットの代替実施形態を図４から９に示す。
【００６４】
図４は、各対抗チームからの一人のプレイヤーの写真４２、４４を有した別のチケット１０を示している。各チケット１０には、更にチケット１０で代表された二人のプレイヤーのサインを受けるために白紙領域４６、４８が用意されている。登録とイベントの詳細５０もチケット１０に載せられている。
【００６５】
図５は、チケット１０が登録とイベントの詳細５０と写真を受ける領域４６と共に各対抗チームからの一人のプレイヤーの写真４２、４４を有している図４に示された実施形態と同様な更に別のチケット１０を示している。しかし、図４と図５に示された実施形態では写真４３、４４と白紙領域４６、４８と登録とイベントの詳細５０の各々の位置が異なっている。
【００６６】
図４と図５に示された各チケットも、チケットの部分を互いに分離するのを容易にするためのミシン目１４を有している。
【００６７】
図６と図７には、図４と５に示された実施形態と同様な更に別の実施形態が示されている。同様な象形は同じ符号によって示されている。チケット１０は、第一プレイヤーに関係した印刷物４２と、この例では、図６に示されているようにチケットの表面１６に設けられたプレイヤーのベン  カズィンの写真と、第二プレイヤーに関係した印刷物４４と、この例では、図７に示されているようにチケット１０の裏面１８に設けられたプレイヤーのジェイムズハードの写真とを有している。
【００６８】
従って、チケット１０は表面１６と裏面１８の両方に印刷物を有することができ、また特に二つの対抗するチームの場合、第一チームや第一チームのプレイヤーに関係した印刷物がチケット１０は表面１６に配置されており、また第二チームや第二チームのプレイヤーに関係した印刷物がチケットの裏面１８に載せられる。
【００６９】
本発明に係るチケットの別の代替実施例が図８と図９に示されている。同様な象形は同じ符号によって示されている。特に図８で分かるように、一人のプレイヤーに関係した印刷物を有したチケット１０がチケット１０上に設けられており、プレイヤーのグラフィック表示４２がチケットの第一部分５２に載せられると共にプレイヤーに関連したチーム番号などのプレイヤーに関係した他の詳細がチケットの第二部分５４に載せられている。図９に示された実施例は、一つのチームに関係した印刷物がチケット１０上に載せられている点、即ちチームのグラフィック表示５８がチケット１０の第一及び第二部分５２、５４に載せられている点を除いて、図８に示された実施例と同じである。
【００７０】
図１０を参照すると、本発明に係るチケットの繰り返し購入を促進する方法の実施例を示したフロー線図６０が示されている。
【００７１】
フロー線図６０の工程６２、６４、６６、６８によって示されているように、イベント用の所定数のチケットが、イベントの主催者によって入手可能にされる。チケットは、色々な様式を取ることができ、また図１から図９を参照して上述したチケットに相当した少なくとも幾つかのチケットを有することができるが、これは、必ずしもその場合に該当するものではない。
【００７２】
イベントに先立って、また任意にイベント中に、入手可能なチケットは、イベント会場や他の場所でイベント参加の見込みのある人に販売される。各チケットは、例えば目に見えたり、又は見えないユニークな識別マークを各チケットに設けることで、唯一の識別可能なもととなる。一例では、ユニークな識別マークはチケット番号である。チケットを購入することで、使用者は、自動的に選択の仲間入りをし、そこで少なくとも一枚のチケットが、チケットに関連した識別マークをランダムに選択することで選択され、ランダムに選択されたチケットを所有しているイベント参加者は、イベントに関連した、又はイベントにおける一人以上の関係者に関連した品物を受け取るようになっている。
【００７３】
チケットはあらゆる適切な方法で選択されることが分かる。例えば、チケットは、コンピュータに販売されたチケットに関する全ての識別マークを記憶して、識別マークの内の一つをランダムに選択するようにコンピュータをプログラム制御することで選択される。或いは、チケットは、販売されたチケットの切り取られた部分を収集して、それら切り取られた部分の内の一つを取り上げることで選択される。勿論、この代替構成に関しては、チケットの切り取られた部分と残りの部分の両方は、ユニークな識別マークを持っていなければならない。
【００７４】
品物は、イベントの関係者によって着用された衣類の品物や、ギターやサッカーボールなどのイベントの関係者によって使用された物品など色々な様式を取ることができる。
【００７５】
本発明の技術範囲内に入る図１０に示された構成に対する変形例が当然考えられる。例えば、すべての参加者にイベントに関連した、又はイベントの一人以上の関係者に関連した品物を受け取る機会を与える代わりに、本方法は、第一及び第二のチケット様式が購入に供せられるように構成され、第一様式のチケットは、ただイベントへのアクセスを得るためだけの働きをし、第二様式のチケットは、イベントへのアクセスを得るためと、参加者にイベントに関連した、又はイベントの一人以上の関係者に関連した品物を受け取る機会を与えるための両方の働きをする。第一様式のチケットと第二様式のチケットとは、あらゆる適当な方法で互いに分別される。例えば、第一様式のチケットは、在来のチケットとし、第二様式のチケットは、図１から９を参照して上述した様式のものとすることができる。
【００７６】
イベントに先立って販売されない第二様式のチケットは、記念品としてその後の購入のために利用される。
【００７７】
図１１に示されたフロー線図７０を参照して、図１０に示された方法の別の変形例を工程７２から８８を参照して解説する。
【００７８】
この変形例に関して、二つの様式のチケットが、予想するイベント参加者による購入のために利用される。上述の変形例のように、第一様式のチケットは、ただイベントへのアクセスができるようにする働きをし、また第二様式のチケットは、イベントへのアクセスができるようにすると共にイベントに関連した、又はイベントの一人以上の関係者に関連した品物を受け取る機会を与えるための両方の働きをする。
【００７９】
購入者が第一様式のチケットの購入を選択すれば、チケットにはチケットの一部分を切り取ることを指示するものとしてイベント案内人によって解釈される第一識別マークが備えられている。この例では、第一様式のチケットは従来のチケットであり、それなりに、イベント関係者の少なくとも一人に関係した特徴を有したような印刷物を有してはいない。
【００８０】
購入者が第二様式のチケットの購入を選択すれば、チケットにはチケットのどの部分も切り取らないで参加者がチケットを無傷のまま維持できることを指示するものとしてイベント案内人によって解釈される第二識別マークが備えられている。
【００８１】
第二様式のチケットは無傷のままなので、そのチケットは、チケットの一部分が切り取られた場合よりもより大きな価値を収集品として有することになることが分かる。第二様式のチケットを持っている参加者は、更にイベントに関連した、又はイベントの一人以上の関係者に関連した品物を受け取る機会を得ている。
【００８２】
第二様式のチケットを購入するコストは、事実上、第一様式のチケットを購入するコストよりも高くなることが分かる。
【００８３】
チケットは、イベントへのアクセスを得るのに使用できるが、そのチケットの購入者は、実際にイベントに参加する必要は無く、代わりにイベントに関連した品物を受け取る機会を得たいと思うだけでチケットは購入され得ることがあることも分かる。
【００８４】
更に、上記実施例は、イベントへのアクセスに使用する様式のチケットに関連して説明してきたが、他の様式のチケットも想定されることが分かる。例えば、チケットは、イベントの結果について賭けをする人に提供される賭けのレシートと成り得る。この構成によれば、チケットの購入は、選択した結果が当れば金銭上の利得を受ける機会に加えて、イベントに関連した、又はイベントの一人以上の関係者に関連した品物を受け取る機会を有する。チケットは、更に飛行機や列車やバスなどの輸送形態にアクセスするのに使用するチケットにもなる。この構成によって、チケットの購入者は、単に望みの旅行のチケットを購入することで品物を受け取る機会を有するであろう。品物は、輸送提供者によって後援された組織によって提供され、後援された組織は、スポーツや音楽や演劇のイベント関連団体である。品物は、そのようなイベントや、そのようなイベントの関係者に関連したものにできる。
【００８５】
明細書全般に渡って、文の前後で特に記載が無ければ、言葉『comprise(有している)』や『comprises』 又は『comprising』などの変形は、述べられた整数や整数グループを含むことを意味するが、他のいずれの整数や整数グループも排除することを意味していないものと理解される。
【００８６】
等業者にとって明らかな改造や変形は、本発明の技術範囲内に入っているものと考えられる。
【図面の簡単な説明】
【００８７】
【図１】本発明の実施例に係るチケットの概略の正面平面図である。
【図２】付加イベント詳細を有し、図１に示されたチケットの概略の正面平面図である。
【図３】図１に示されたチケットの一部分の拡大図である。
【図４】本発明の代替実施例に係るチケットの概略の正面平面図である。
【図５】本発明の別の代替実施例に係るチケットの概略の正面平面図である。
【図６】本発明の更に別の代替実施例に係るチケットの概略の正面平面図である。
【図７】図６に示されたチケットの概略の裏面平面図である。
【図８】本発明の更に別の代替実施例に係るチケットの概略の正面平面図である。
【図９】本発明の更に別の代替実施例に係るチケットの概略の正面平面図である。
【図１０】本発明の実施例に係るチケットの繰り返し購入を促進する方法のフロー線図である。
【図１１】本発明の代替実施例に係るチケットの繰り返し購入を促進する方法のフロー図である。
【符号の説明】
【００８８】
１０  チケット
１４  ミシン目
２０  写真
３０  透かし
３２  白紙領域
３４  第一の切り取り部分
３６  第二の切り取り部分
【図１】
2005522794.tif 000003
【図２】
2005522794.tif 000004
【図３】
2005522794.tif 000005
【図４】
2005522794.tif 000006
【図５】
2005522794.tif 000007
【図６】
2005522794.tif 000008
【図７】
2005522794.tif 000009
【図８】
2005522794.tif 000010
【図９】
2005522794.tif 000011
【図１０】
2005522794.tif 000012
【図１１】
2005522794.tif 000013
【手続補正書】
【提出日】平成16年1月19日(2004.1.19)
【手続補正１】
【補正対象書類名】特許請求の範囲
【補正対象項目名】全文
【補正方法】変更
【補正の内容】
【特許請求の範囲】
【請求項１】
チケットの繰り返し購入を促進する方法であって、
イベントに関連した複数の購入可能なチケットを用意する工程と、
前記チケットの少なくとも幾つかのそれぞれにユニークな識別マークを設ける工程と、
ユニークな識別マークがそれぞれに設けられた前記チケットの内の少なくとも一つをランダムに選択する工程と、
ランダムに選択された前記チケットを所有するチケット購入者に前記イベントに関連した品物、又は前記イベントの一人以上の関係者に関連した品物の少なくとも一方を提供する工程とを有することを特徴とするチケットの繰り返し購入を促進する方法。
【請求項２】
前記チケットは、イベントに入場するために使用されるものであることを特徴とする請求項１に記載の方法。
【請求項３】
前記品物は、前記イベントの関係者によって着用された衣類であることを特徴とする請求項１又は２に記載の方法。
【請求項４】
前記品物は、前記イベントの関係者によって使われた物品であることを特徴とする請求項１又は２に記載の方法。
【請求項５】
前記イベントに入場するために使用されるチケットとして識別されると共に前記ランダムに選択されるチケットとしては使用されない第一のチケットを割り当てる工程と、前記イベントに入場するために使用されるチケットとして識別されると共に前記ランダムに選択されるチケットして使用される第二のチケットを割り当てる工程とを有する前記イベント用チケットを用意する工程を具備することを特徴とする請求項１乃至４のいずれかに記載の方法。
【請求項６】
前記第一のチケットは、
基板と、
前記基板上に配置され、イベント関係者の少なくとも一人に関係した特徴を有する印刷物とを備えてなることを特徴とする請求項５に記載の方法。
【請求項７】
前記第二のチケットの購入値段は、前記第一のチケットの購入値段よりも高いことを特徴とする請求項６に記載の方法。
【請求項８】
イベント開催代行者により一部分が切り取られるべきでないチケットとして識別される第一のチケットを割り当てる工程と、イベントの代表者により一部分が切り取られるべきチケットとして識別される第二のチケットを割り当てる工程とを有するイベント用チケットを割り当てる工程を具備することを特徴とする請求項１乃至４のいずれかに記載の方法。
【請求項９】
複数の前記第一のチケットは、関連イベントの関係者の少なくとも一人を有するイベントに入場するために使用者により使用されるものであって、
前記各第一のチケットは、
基板と、
前記基板上に配置され、イベント関係者の少なくとも一人に関係した特徴を有する印刷物とを備えてなることを特徴とする請求項８に記載の方法。
【請求項１０】
前記チケットは、前記イベントの結果についての賭け事を行う人に提供される賭けのレシートであることを特徴とする請求項１に記載の方法。
【請求項１１】
関連イベントの関係者の少なくとも一人を有するイベントに入場するために使用者が使用するチケットであって、
基板と、
前記基板上に配置され、イベント関係者の少なくとも一人に関係した特徴を有してなるイベントに入場するために使用者が使用するチケット。
【請求項１２】
前記イベントは、スポーツイベントであり、前記イベント関係者の少なくとも一人は、プレイヤーの少なくとも一人であることを特徴とする請求項１１に記載のチケット。
【請求項１３】
前記イベントは、音楽又は演劇のイベントであり、前記イベント関係者の少なくとも一人は、音楽家、俳優、コメディアンの少なくとも一人であることを特徴とする請求項１１に記載のチケット。
【請求項１４】
前記印刷物は、関係者の一人に関係した特徴を有してなる請求項１１乃至１３のいずれかに記載のチケット。
【請求項１５】
前記印刷物は、複数の関係者に関係した特徴を有してなる請求項１１乃至１３のいずれかに記載のチケット。
【請求項１６】
前記印刷物は、第一の関係チームに結び付けられる第一関係者に関係した特徴と、第二の関係チームに結び付けられる第二関係者に関係した特徴とを有してなる請求項１５に記載のチケット。
【請求項１７】
前記印刷物は、１つの関係チームに関係した特徴を有してなる請求項１１乃至１３のいずれかに記載のチケット。
【請求項１８】
前記印刷物は、複数の関係チームに関係した特徴を有してなる請求項１７に記載のチケット。
【請求項１９】
前記基板は、表面と裏面を有し、前記表面と前記裏面に前記印刷物が配置されてなることを特徴とする請求項１１乃至１８のいずれかに記載のチケット。
【請求項２０】
前記チケットの前記表面は、第一のイベント関係者の少なくとも一人に関係した特徴を有する印刷物が配置され、前記チケットの前記裏面は、第二のイベント関係者の少なくとも一人に関係した印刷物が配置されたことを特徴とする請求項１９に記載のチケット。
【請求項２１】
前記第一のイベント関係者は、第一のイベント関係チームのメンバーであり、前記第二の関係者は、第二のイベント関係チームのメンバーであることを特徴とする請求項２０に記載のチケット。
【請求項２２】
前記表面に配置された印刷物は、第一の関係チームに関係した特徴を有し、前記裏面に配置された印刷物は、第二の関係チームに関係した特徴を有してなる請求項２１に記載のチケット。
【請求項２３】
前記印刷物は、前記基板上に直接印刷されたことを特徴とする請求項１１乃至２２のいずれかに記載のチケット。
【請求項２４】
前記印刷物は、表面層に印刷され、該表面層は、前記基板に接合されてなることを特徴とする請求項１１乃至２２のいずれかに記載のチケット。
【請求項２５】
前記印刷物は、前記イベント関係者の少なくとも一人に関係したテキスト情報を有することを特徴とする請求項１１乃至２３のいずれかに記載のチケット。
【請求項２６】
前記テキスト情報は、前記イベント関係者の少なくとも一人に関係した名前、背番号、統計データの少なくとも１つを含むことを特徴とする請求項２５に記載のチケット。
【請求項２７】
前記印刷物は、前記イベント関係者の少なくとも一人に関係したグラフィック情報を含むことを特徴とする請求項１１乃至２６のいずれかに記載のチケット。
【請求項２８】
前記印刷物は、前記イベント関係者の少なくとも一人の写真を含むことを特徴とする請求項２７に記載のチケット。
【請求項２９】
関係者のサインを受ける白紙領域を有することを特徴とする請求項１１乃至２８のいずれかに記載のチケット。
【請求項３０】
記念目的として潜在的価値がある印刷物が一つ以上の第一の基板部分に配置されると共に、潜在的記念価値は無いがイベント主催者に使用される印刷物が一つ以上の第二の基板部分に配置されてなる互いに分離可能な複数の基板部分を有してなる請求項１１乃至２９のいずれかに記載のチケット。
【請求項３１】
関連イベント参加者の少なくとも一人を有するイベントに入場するために使用者が使用するチケットを作る方法であって、
基板を用意する工程と、
イベント関係者の少なくとも一人に関係した特徴を有した印刷物を基板上に配する工程とを有することを特徴とするイベントに入場するために使用者が使用するチケットを作る方法。
【請求項３２】
繰り返しチケット購入を促進する方法であって、
輸送手段を利用するために使用される複数のチケットを用意する工程と、
前記チケットの少なくとも幾つかのそれぞれにユニークな識別マークを設ける工程と、
ユニークな識別マークがそれぞれに設けられた前記チケットの内の少なくとも一つをランダムに選択する工程と、
ランダムに選択された前記チケットを所有するチケット購入者に品物を提供する工程とを有することを特徴とするチケットの繰り返し購入を促進する方法。
【請求項３３】
前記品物は、輸送提供者によって後援された組織によって提供されることを特徴とする請求項３２に記載の方法。
【請求項３４】
前記品物は、スポーツイベント、音楽イベント、演劇イベントの少なくとも１つに関連していることを特徴とする請求項３２又は３３に記載の方法。
【国際調査報告】
2005522794.tif 000014
2005522794.tif 000015
2005522794.tif 000016
2005522794.tif 000017
2005522794.tif 000018